(57)【要約】【課題】非常時の操作性にすぐれ、安全性が高く、常時には建物に美観を害さず、建物の機能の一部として利用でき、しかも安価に製作設置可能なバルコニに設ける避難用梯子を提供する。【解決手段】手摺りつきバルコニーのある２階以上の多層階建築における避難用梯子であって、各階の垂直方向に関して同一の箇所に形成された該手摺りの開口部と、該開口部に、少なくとも二節に枢支接続して折りたたみ収納・固定され、展開時に下階の開口部に届き、常時は当階の開口部に垂直に固定されて、手摺りの代用をする梯子と、該梯子の展開角度を制限する支持手段と、非常時に該梯子を展開し、該支持手段の動作を制御する制御装置と、を備え、非常時に展開角度を制限した１次作動と全部延長状態に至らしめる２次作動に分けて展開させる。【選択図】図１
2004324283.tif 000002
【特許請求の範囲】
【請求項１】
手摺りつきバルコニーのある２階以上の多層階建築における避難用梯子であって、各階の垂直方向に関して同一の箇所に形成された該手摺りの開口部と、該開口部に、少なくとも二節に枢支接続して折りたたみ収納・固定され、展開時に下階の開口部に届き、常時は当階の開口部に垂直に固定されて、手摺りの代用をする梯子と、該梯子の展開角度を制限する支持手段と、非常時に該梯子を展開し、該支持手段の動作を制御する制御装置と、を備え、非常時に展開角度を制限した１次作動と全部延長状態に至らしめる２次作動に分けて展開させることを特徴とする避難用梯子。
【請求項２】
前記支持手段がガイドリンクであることを特徴とする請求項１記載の避難用梯子。
【請求項３】
前記開口部に支持フレームを設け、前記梯子を収納・固定することを特徴とする請求項１記載の避難用梯子。
【請求項４】
前記梯子は、第１節の梯子の上部において、開口部下部に回動可能に枢支され、第１節の梯子の下部において、第２節の梯子の上部と回動可能に枢支接続されて、折りたたみ及び展開可能としたことを特徴とする請求項１記載の避難用梯子。
【請求項５】
前記制御装置は、折りたたんだ状態の第２節の梯子とともに、第１節の梯子がその上部枢支軸を中心に回動して、垂線に対してほぼ４５度の角度まで、外側に開いて一旦展開を停止・固定する１次作動を行わせ、第１節の梯子が前記上部枢支軸を中心に更に回動してほぼ１８０度開いて垂直に垂れ下がるとともに、第２節の梯子を第１節と第２節の梯子の枢支軸を中心にほぼ１８０度開いて垂直に垂れ下がり、下階の開口部に到達せしめ、到達信号を受けて下階の収納・固定状態の梯子に前記１次作動を惹起させることからなる２次作動を行わせることを特徴とする請求項１記載の避難用梯子。
【請求項６】
前記制御装置（１１）が手摺り（１）の開口部（３）上段に横切って設けられたシャフト（１３）と、シャフト（１３）を支持フレーム（５）に対して回転可能に弾力支持するツイストスプリング（１５）と、シャフト（１３）の弾性回転方向をロックする作動制御部（１７）と、上記ガイドリンクの作動を制御するリンクホルダー（１９）と、上記梯子の作動を制御する梯子ホルダー（２１）と、梯子ホルダーのロックを解除する作動スイッチ（２３）と、上記リンクホルダー（１９）のロックを解除する作動レバー（２５）とによって構成されていることを特徴とする請求項１記載の避難用梯子。
【請求項７】
前記作動制御部（１７）を遠隔作動してリンクホルダー（１９）と梯子ホルダー（２１）を解除する遠隔制御部（２９）を更に備えていることを特徴とする請求項６記載の避難用梯子。
【請求項８】
前記遠隔制御部（２９）が作動制御部（１７）の側面に附加設置された遠隔制御カム（６５）と、遠隔制御カム（６５）に連結され、下階のバルコニーから作動可能なように梯子（７）の下部に垂らすケーブルとからなることを特徴とする請求項７記載の避難用梯子。
【請求項９】
前記作動制御部（１７）が作動スイッチ（２３）と連結リンク（３１）で連結していて、支持フレーム（３３）に設置するピポット点（３５）を中心に回転するようにスプリング（３７）によって弾力設置されるとともに、掛け突起（３９）を備えている作動リンク（４１）と、前記シャフト（１３）に挟んで設置されていて、上段の片側にある掛け突起（４３）で作動リンク（４１）の掛け突起（３９）と噛み合っている作動カム（４５）の動作を受けてフレーム（３３）に貫通設置される回転軸（４７）を中心に回転する支持カムとにより構成されていることを特徴とする請求項６記載の避難用梯子。
【請求項１０】
前記梯子ホルダー（２１）に梯子の降下作動を知らせるセンサ（ｓ）を備えたことを特徴とする請求項６記載の避難用梯子。
【請求項１１】
前記梯子がほぼ１８０度垂直に展開したとき、梯子に対しほぼ直角に開成する複数の転落防止輪が備えられていることを特徴とする請求項１記載の避難用梯子。
【発明の詳細な説明】
【０００１】
【発明の属する技術分野】
本発明は、手摺りつきバルコニー、もしくはベランダのある２階以上の多層階建築における、避難用梯子に関する。更に詳しくは、手摺りを利用して常時は折り畳み収納し、非常時に展開延長可能な避難用梯子に関する。
【０００２】
【従来の技術】
近年、土地有効利用の見地から、殆どの建物が高層になっているので、火災などの非常時における、上階からの避難経路の確保が安全上重要な課題となている。特に居住用、ホテルなど各戸間のプライバシーを保つ機能が重視される場合では、間仕切り、隔壁、ドアなどにより、避難経路に到達する障害が多い。従って、通常建物の側面に設けられている非常階段だけでは、避難経路が不足する。
【０００３】
そこで、バルコニーやベランダに各戸毎に脱出手段を設けることが推奨されている。例えば、滑降索、縄梯子、滑りシート、滑りホースなどが知られている。これらは安価で、通常時に収納しておくのに場所を取らないので、便利とはいえ、操作に熟練と体力が必要なため、誰でも使える物ではない。
【０００４】
また、バルコニの床面に開口を設け、そこに折り畳み式梯子を通常時には収納可能に設置する例も知られている。しかし、床面を切り取らねばならず、しかも常時該床面を利用できず、加えて垂直方向に伸ばすべき梯子を水平方向に、且つ限られた場所、即ち切り取った床面内に折り畳み、収納しなければならないので、複雑な構造となる。（例えば特許文献１参照）
【０００５】
別の従来の例では、パラペットのあるバルコニにおいて、２部の折畳式梯子を、床部とパラペット壁部に分けて収納しておき、非常時にそれらを手動で展開して使用するもので、前記２部の折畳式梯子のうち、パラペット壁を乗り越えて避難するための上部の梯子は３節の部分が枢支接続され、非常時には、パラペット壁に折り畳み収納状態からパラペット壁を乗り越えて展開可能になっており、この上部の梯子に続いて次の階下のバルコニまで延設可能な（前記２部の折畳式梯子のうち）下部の梯子は、やはり３節の部分が枢支接続され、パラペット壁の床面と交わる下部に設けられた貫通口を通してパラペット外部に押し出し、前記上部の梯子に接続して使用する構造になっている。
【０００６】
この例でも、非常時の操作が複雑で、体力を要するとともに、構造上の問題や、設置場所も要することから、当階の設備と次階の設備とを右左に分けて設置しなければならないなどの不便がある。（特許文献２参照）
【０００７】
更に別の従来の例では、手摺りのあるバルコニにおいて、手摺りの一部を非常時に外側に開放可能なようにヒンジ止めしておき、該バルコニの床下部（階下のバルコニ天井部）に、非常時延長可能な梯子を収納した方形の箱を、該箱の一つの角で枢支して、非常時に該枢支軸を軸心として該箱を回動させて、前記開放した手摺りの開口部の外側に位置できるように収納してある。前記梯子は、順次細くなるテーパ付きの多数の筒が、筒の内面と他の筒の外面とがスライドして伸縮し、スライドする相互の筒の内径と外径が一致するところで延長が停止するように接続され、一つの筒に該筒の軸に直角に梯子のステップが設けられている。常時には、該梯子のステップ付き多数の筒においては、最太で最上段の筒に順次その下の筒が収納され、非常時に延長できるようになっている。
【０００８】
この例では、梯子の構造が複雑・特殊なため、製作にコストがかかるとともに、避難者の安全性に疑問があり、避難時に大きな恐怖感を伴わせる惧れがある。（特許文献３参照）
【０００９】
更に別の従来の例では、上階から下階に設置した一本の固定梯子の下部にはステップを設けず、常時は下から登ることができず、非常時には上部に固定してある別の可動梯子が前記固定梯子にスライドして下部に移動して、全面使用可能になるというもので、盗難防止用として考案されたものである。    この例では、確かに構造は簡単であるが、常時梯子を立て掛けておくという方法のため、建物の美観に影響し、且つ、高層建築物にはやはり避難者の安全を考慮すると適当でない。（特許文献４参照）
【００１０】
以上説明した従来例では、滑降索、縄梯子、滑りシート、滑りホースなど原始的な装置や、特許文献４記載の装置は別として、いずれも、新設の場合でも、製作設置にコストが嵩み、特にバルコニを改造して設置するときには、工事費がかかる事は否めない。
【００１１】
【特許文献１】
実開平７−１３３５２
【特許文献２】
ＵＳＰ  ４，４０１，１８３
【特許文献３】
ＵＳＰ  ４，２３６，６０１
【特許文献４】
特開平１−１９８９８８
【００１２】
【発明が解決しようとする課題】
本発明はかかる従来の問題点に鑑みてなされたもので、バルコニに設ける避難用梯子であって、非常時の操作性にすぐれ、安全性が高く、常時には建物の美観を害さず、建物の機能の一部として利用でき、しかも安価に製作設置可能な装置を提供することを目的とする。
【００１３】
【課題を解決するための手段】
そこで本発明の避難用梯子は、手摺りつきバルコニーのある２階以上の多層階建築における避難用梯子であって、各階の垂直方向に関して同一の箇所に形成された該手摺りの開口部と、該開口部に、少なくとも二節に枢支接続して折りたたみ収納・固定され、展開時に下階の開口部に届き、常時は当階の開口部に垂直に固定されて、手摺りの代用をする梯子と、該梯子の展開角度を制限する支持手段と、非常時に該梯子を展開し、該支持手段の動作を制御する制御装置と、を備え、非常時に展開角度を制限した１次作動と全部延長状態に至らしめる２次作動に分けて展開させることを特徴とする。また、前記支持手段がガイドリンクであることを特徴とする。
【００１４】
これにより、常時はバルコニの手摺りとして機能し、非常時には梯子として機能するため、建築物の美観を損なわず、特別に設置場所としてのスペースを要することもない。操作は体力を必要とせず、重力を利用して二段階にわけて安全に展開でき、従って避難者の恐怖感も発生しない。建物全体から見た、設置場所についても、垂直方向で統一した場所にできるので、階下との連携性に優れている。また、梯子の構造としては、複雑なものではなく、使用する材質は、特に選ばない。例えば、耐食性のアルミもしくはアルミ合金、ステンレス鋼、保護塗装などを施した鉄が使える。また十分な強度を考慮した枢支方法、固定方法を選べば、木材やプラスチックスを使うこともできる。
【００１５】
更に本発明の避難用梯子は、前記開口部に支持フレームを設け、前記梯子を収納・固定することを特徴とする。
【００１６】
勿論、開口した両側手摺りの縦桟や横桟を利用して、取付け、収納することも可能であるが、支持フレームを設けることによってより取付け収納の強度、および枢支強度などを確保でき、梯子部と手摺り部との工作上の取り合いが至便となる。
【００１７】
更に本発明の避難用梯子は、前記梯子が、第１節の梯子の上部において、開口部下部に回動可能に枢支され、第１節の梯子の下部において、第２節の梯子の上部と回動可能に枢支接続されて、折りたたみ及び展開可能としたことを特徴とする。
【００１８】
勿論３節以上で構成されていても、同様であって２節目の下端と３節目の上端が回動可能に枢支接続され、折りたたみ及び展開可能とすればよい。
【００１９】
更に本発明の避難用梯子は、前記制御装置が、折りたたんだ状態の第２節の梯子とともに、第１の梯子がその上部枢支軸を中心に回動して、垂線に対してほぼ４５度の角度まで、外側に開いて一旦展開を停止・固定する１次作動を行わせ、第１節の梯子が前記上部枢支軸を中心に更に回動してほぼ１８０度開いて垂直に垂れ下がるとともに、第２節の梯子を第１節と第２節の梯子の枢支軸を中心にほぼ１８０度開いて垂直に垂れ下がり、下階の開口部に到達せしめ、到達信号を受けて下階の収納・固定状態の梯子に前記１次作動を惹起させることからなる２次作動を行わせることを特徴とする。
【００２０】
１次作動でまず４５度ひらき、安全確認後全開となる順次作動性は、突然全開となる不安全を回避できるし、心理的にも安心感を与える。更に、下階の１次作動の連動性とあいまって（当階が２次作動で全開したとき、４５度開いている）、避難者が転落したとき、受け機能を用意しており、安全性が高い。
【００２１】
更に本発明の避難用梯子は、前記制御装置（１１）が手摺り（１）の開口部（３）上段に横切って設けられたシャフト（１３）と、シャフト（１３）を支持フレーム（５）に対して回転可能に弾力支持するツイストスプリング（１５）と、シャフト（１３）の弾性回転方向をロックする作動制御部（１７）と、上記ガイドリンクの作動を制御するリンクホルダー（１９）と、上記梯子の作動を制御する梯子ホルダー（２１）と、梯子ホルダーのロックを解除する作動スイッチ（２３）と、上記リンクホルダー（１９）のロックを解除する作動レバー（２５）とによって構成されていることを特徴とする。
【００２２】
更に本発明の避難用梯子は、前記作動制御部（１７）を遠隔作動してリンクホルダー（１９）と梯子ホルダー（２１）を解除する遠隔制御部（２９）を更に備えていることを特徴とする。
【００２３】
更に本発明の避難用梯子は、前記遠隔制御部（２９）が、作動制御部（１７）の側面に附加設置された遠隔制御カム（６５）と、遠隔制御カム（６５）に連結され、下階のバルコニーから作動可能なように梯子（７）の下部に垂らすケーブルとからなることを特徴とする。
【００２４】
更に本発明の避難用梯子は、前記作動制御部（１７）が作動スイッチ（２３）と連結リンク（３１）で連結していて、支持フレーム（３３）に設置するピポット点（３５）を中心に回転するようにスプリング（３７）によって弾力設置されるとともに、掛け突起（３９）を備えている作動リンク（４１）と、前記シャフト（１３）に挟んで設置されていて、上段の片側にある掛け突起（４３）で作動リンク（４１）の掛け突起（３９）と噛み合っている作動カム（４５）の動作を受けてフレーム（３３）に貫通設置される回転軸（４７）を中心に回転する支持カムとにより構成されていることを特徴とする。
【００２５】
更に本発明の避難用梯子は、前記梯子ホルダー（２１）に梯子の降下作動を知らせるセンサ（ｓ）を備えたことを特徴とする。
【００２６】
更に本発明の避難用梯子は、前記梯子がほぼ１８０度垂直に展開したとき、梯子に対しほぼ直角に開成する複数の転落防止輪が備えられていることを特徴とする。これにより更に安全性が確保される。
【００２７】
【発明の実施の形態】
以下に本発明の実施の形態について図面を参照して詳しく説明する。但し、この実施の形態に記載されている構成部品の寸法、材質、形状、その相対配置などは、特に特定な記載がない限りは、この発明の範囲を限定する趣旨ではなく、単なる説明例に過ぎない。
【００２８】
図１は、本発明装置の一例を示す図面で、上の階の梯子が作動して上の階から下の階へ避難路が作られた状態を表す斜視図である。図２は本発明の避難用梯子が折りたたまれて、手摺りの開口部に収納されている状態で、図３は１次作動によって折りたたまれた梯子が展開し、ほぼ４５度外側に開いた状態を表す。そして、２次作動により図１の全面展開の状態に至る。図１、図２、図３において、建物のバルコニやベランダの手摺り（１）の一部を所定の幅に開口した開口部（３）に設置する本発明の避難用梯子は支持フレーム（５）、折りたたみ式梯子（７）の開放角度を制御するガイドリンク（９）、折りたたみ式梯子（７）とガイドリンクの動作を制御する制御装置、転落防止用輪（１０１）などにより構成されている。
【００２９】
前記開口部（３）は各階の垂直方向に関して（上下で）同一の箇所に形成され、本例の場合、この開口部に支持フレーム（５）が取り付けられて、図２に示すように、本発明の避難梯子が収納されている。この梯子は所定寸法に二本の梯子がそれぞれの端部、即ち第１節の梯子の下部と第２節の梯子の上部で回動可能なように枢支接続されており、その接続されていない一方の端、即ち第１節の梯子の上部が前記フレームの下部床面近くに回動可能に枢支されているので、この枢支軸芯を中心に回動して２節に折りたたんだ状態で収納されている。
【００３０】
非常時には、１次作動により図３に示すように折りたたんだ状態の第２節の梯子とともに、第１節の梯子がその上部枢支軸芯を中心に回動して４５度付近まで外側に開いて、ガイドリンク（９）により一旦展開を停止・固定する。
【００３１】
次の２次動作により、全面的に２節の梯子が展開して図１に示すように１８０度に開き下階の開口部までその他端が到達する。同時に、梯子の縦桟に枢支され、折りたたみ状態になっていた、落下防止輪が９０度付近まで開く。そして、上階の梯子（７）の他端が下階の手摺り開口部（本例の場合、前記フレーム上桟）に到達したことを下階の設備が検知して、下階の避難梯子設備が１次作動を行い、図１のように、４５度展開状態になる。
【００３２】
上記の制御装置（１１）は図４、図５に表すように、手摺り（１）の開口部（３）上段を横切って設置するシャフト（１３）、シャフト（１３）を支持フレーム（５）に対して回転できるように弾力支持するツイストスプリング（１５）、シャフト（１３）の弾性回転方向をロックする作動制御部（１７）、ガイドリンク（９）の作動を制御するするリンクホルダー（１９）、折りたたみ式梯子（７）の作動を制御する梯子ホルダ（２１）、梯子ホルダ（２１）のロックを解除する作動スイッチ（２３）、リンクホルダ（１９）のロックを解除する作動レバー（２５）、ケーブル（２７）を使用する遠隔作動で作動制御部（１７）のリンクホルダ（１９）と梯子ホルダ（２１）を解除する遠隔制御部（２９）となっている。
【００３３】
上記の作動制御部（１７）は作動スイッチ（２３）、連結リンク（３１）で連結されていて、支持フレーム（３３）に設置するピボット点（３５）を中心に回転するようにスプリング（３７）によって弾力設置されている作動リンク（４１）、シャフト（１３）に差し込んであって上段の片側にある掛け突起（４３）で作動リンク（４１）の掛け突起（３９）とかみ合っている作動カム（４５）、作動カムの下端に相接していて作動カム（４５）の動作で回転軸（４７）を中心に回転する支持カム（４９）となっている。
【００３４】
上記フレーム（３３）の作動制御部（１７）から反対方向に設置する回転軸（４７）の先端にはピン形状のリンクホルダレバー（５１）を設置し、リンクホルダレバ（５１）はスプリング（５３）を通してピボット点（５５）を中心に回転するように設置するリンクホルダ（１９）に連結され、リンクホルダ（１９）にはリンク（９）の掛け突起（５７）を掛けるための凹溝（５９）がある。上記梯子ホルダ（２１）はシャフト（１３）に設置されてシャフト（１３）と一緒に回転するようになっているとともに、折りたたみ式梯子（７）の先端にある掛け突起（６１）を掛けるための凹溝（６３）が形成されている。上記シャフト（１３）は設置する梯子ホルダ（２１）と作動カム（４５）に動作を伝達することできる構造になっている。
【００３５】
上記構造の本発明の折りたたみ式梯子（７）は、平常時は図２に表すように折りたたんで置くことで手摺りの一部になる。非常時には先ず、作動スイッチ（２３）を押す。この操作で手摺りの一部になっている折り畳み式梯子（７）はガイドリンク（９）の作用で図１の下階のように、手摺り（１）に対して４５°前方に倒れ１次解除状態になる。続いて、シャフト（１３）の先端に設置する作動レバー（２５）を操作するとガイドリンク（９）をロックさせているリンクホルダ（１９）が回転してガイドリンク（９）のロック状態を解除し、図１の上階梯子のように前方に１８０°完全降下する２次解除状態になる。上階梯子の２次解除によって下の階の梯子が自動的に４５°倒れて避難のための開口部を形成し、避難者はこの開口部を通じて安全に上の階から下の階へ避難することができる。下記に１次解除作動、２次解除作動について、詳しく説明する。
【００３６】
先ず、フレーム（５）の上段に設置するシャフト（１３）はツイストスプリング（１５）によって弾力設置されていることで、常時、片方向へ回転しようとする力を受けている状態である。しかし、図７に表すようにシャフト（１３）の最初のセッテイングは、作動カム（４５）の掛け突起（４３）が作動スイッチ（２３）に連結されている作動リンク（４１）の掛け突起（３９）に掛かっているロック状態になっている。平常の状態では梯子ホルダ（２１）は、図９に表すように下を向いている状態になっていて、梯子ホルダ（２１）の凹溝（６３）に挟んである梯子の円形掛け突起（６１）が外側に外れることなくロックの状態が維持できる。非常時は先ず１次作動スイッチ（２３）を押す。この操作は連結リンク（３１）とスプリング（３７）を通して作動リンク（４１）に弾力伝達され、作動リンク（４１）はピボット点（３５）を中心に反時計方向に回転する。作動リンク（４１）が反時計方向に回転すると作動リンク（４１）の掛け突起（３９）に掛かっている作動カム（４５）の掛け突起（４３）のロックが解除になり、シャフト（１３）を弾力支持するツイストスプリング（１５）の力によってシャフト（１３）と共に作動カム（４５）が反時計方向に回転する。即ち、作動カム（４５）の位置が図８の状態から図１０の状態へ回転する。同時に、梯子ホルダ（２１）も図１１に表すように反時計方向に回転し、その結果、梯子ホルダ（２１）の凹溝（６３）に挟んであるロック状態の梯子（７）の掛け突起（６１）が外側へ抜けてロックが解除される。この状態が１次解除状態である。１次解除の後、シャフト（１３）の先端にある作動レバー（２５）を図７と図１２に表すように時計方向に回すと、シャフト（１３）に結合されている作動カム（４５）が時計方向に回転すると同時に動作カム（４５）の下の支持カム（４９）が回転軸（４７）を中心に時計方向に回転する。回転軸（４７）の回転運動はリンクホルダレバー（５１）に伝達され、このリンクレバーホルダ（５１）が時計方向に回転するとその先端にスプリング（５３）で連結してあるリンクホルダ（１９）がピボット点（５５）を中心に時計方向に回転し、その結果、リンクホルダー（１９）の凹溝（５９）に挟みつけてある図１のように梯子（７）を４５°に倒した状態に維持するガイドリンク（９）の掛け突起（５７）が外側に抜けてロックが完全に解除される。この状態が２次解除状態である。
【００３７】
本発明の装置に附加して設置する遠隔制御部（２９）は、図６、図７に示すように、作動制御部（１７）の側面に附加設置する遠隔制御カム（６５）、遠隔制御カム（６５）に連結して下の階の手摺り（１）まで垂らすケーブル（２７）となっている。遠隔制御カム（６５）には図１３に表すように突起（６７）、掛け突起（６９）、ケーブル（２７）を連結するためのケーブルホール（７１）が形成されている。下の階から引っ張れるように垂らしてあるケーブル（２７）を引っ張ると遠隔制御カム（６５）が図１３のように時計方向に回転しその円周面の突起（６７）が作動リンク（４１）の突起（４１ａ）を押して作動リンク（４１）がピボット点（３５）を中心に後方向に回転する。この後は１次作動スイッチ（２３）による作動と同じ作動をして一次解除状態になる。更に続いてケーブル（２７）を引っ張ると遠隔制御カム（６５）を引っ張ると遠隔制御カム（６５）が更に回転して突起（６７）が支持カム（４９）の突起（４９ａ）を押し、従って支持カム（４９）が時計方向に回転する。この後は２次作動レバー（２５）による作動と同じ作動をして２次解除状態になる。
このように本発明の非常梯子は下の階から上の階に設置されている非常梯子の遠隔制御カム（６５）を作動し、必要に応じて安全に下の階から上の階へ避難することもできる。
【００３８】
又、本発明の非常用梯子には折りたたみ式梯子（７）が作動される際、室内・外の人々に対して視覚的及び聴覚的にその作動状態を知らせる機能がある。図９と図１１に表すように、梯子ホルダ（２１）の各々に回転運動を感知するセンサ（ｓ）を設置し、梯子の作動時にはそれに符号する電気信号を制御部に送出することで聴覚的・視覚的信号を発生する。この機能は、緊急事態の発生や、避難できる梯子の位置を周りに知らせるためであるが、子供のいたずらや誤動作による被害を最小限にするのにも役に立つ。
【００３９】
図１４と１５は、折りたたみ式梯子（７）とフレーム（５）との連結構造を表すものである。人為的な力によって作動する作動スプリング（８２）は、一端（８２ａ）はフレーム（５）に固定されている突起（８２ｃ）に、その反対端部（８２ｂ）は回転軸（８４）を中心に作動する回動リンク（８６）の一端にある折りたたみ式レバー（８８）の凹溝（８６ａ）（Ａ−Ａ‘矢視図に示すように）に連結される。折りたたみ式梯子の支持レバー（９０）の両端には、突起（８６ｃ）に連結される。折りたたみ式梯子の支持バー（９０）の両端には、突起（８６ｃ）を合わせるための固定溝（９２ａ）が形成されている固定版（９２）が結合されていて、フレームには折りたたみ式レバー（８８）が作動するように作動溝（９４）がある。
【００４０】
下記に折りたたみ式梯子（７）の作動状態について、説明する。折りたたみ式梯子（７）が畳んである平常時は、下側梯子（７ｂ）の最上部にある支持バー（９０）に結合している固定版（９２）の固定溝（９２ｃ）は下を向いている状態になり、突起（８６ｃ）は固定版（９２）の周りに位置する状態になる。作動スイッチ（２３）及び作動レバー（２５）によって梯子（７）が２次解除状態になると、梯子（７）は下に降下する。梯子が降下すると上・下側梯子（７ａ）（７ｂ）は時計方向に回転しながら降下し、同時に下側梯子（７ｂ）の支持バー（９０）に連結されている固定版（９２）も時計方向に回転する。上・下側梯子（７ａ）（７ｂ）が完全に下降して１８０°になると固定板（９２）の固定溝（９２ａ）には回動リンク（８６）の突起（８６ｃ）が挟まれ、梯子（７）は安定的に固定される。
【００４１】
これによって、避難時の梯子のゆれを防止することができ、避難者の心的不安感を減らすことは勿論、より安全に避難できる。また、上側梯子（７ａ）の側面に突出されている折り畳みレバー（８８）を足で踏むと固定板（９２）の固定溝（９２ｃ）から回動リンク（８６）の突起（８６ｃ）が抜けて解除の状態になり、使用者は下側梯子（７ｂ）を引き上げて戻して保管の状態にすることができる。
【００４２】
【発明の効果】
以上詳しく説明したように、本発明により課題の項で述べた目的を達成することが可能となった。即ち、非常時の操作性にすぐれ、安全性が高く、常時には建物に美観を害さず、建物の機能の一部として利用できて、バルコニの場所を徒に占有せず、しかも安価に製作設置可能なバルコニに設ける避難用梯子を提供することを可能とした。加えて、外部地上からの不法侵入者を防ぎ、下階からの操作を可能としたことで、上方への避難経路も確保でき、多岐に渡る避難経路が選択できるようになった。
【図面の簡単な説明】
【図１】本発明装置の一例を示す図面で、上の階の梯子が作動して上の階から下の階へ避難路が作られた状態を表す斜視図である。
【図２】避難用梯子が折りたたまれて、手摺りの開口部に収納されている状態を表す斜視図である。
【図３】避難用梯子が１次作動によって展開し、ほぼ４５度外側に開いた状態を表す斜視図である。
【図４】本発明による避難用梯子の作動を制御する作動制御装置の構造を表す断面図である。
【図５】図４の装置でのシャフトがスプリングによって弾力設置される状態を表す断面図である。
【図６】図４の装置での“Ａ”部分についての拡大図である。
【図７】図４の装置での作動ハンドルによって作動する作動制御部と作動スイッチの結合関係を表す側面図で、平常時に梯子が畳んであるときの作動制御部の作動状態を表す状態図である。
【図８】図７での作動ハンドル、作動リンク、作動カムだけを区分して表す側面図である。
【図９】図８の状態、即ち平常時の梯子ホルダーの位置を表す側面図である。
【図１０】図８の状態で作動ハンドルを押し、作動カムが反時計方向へ回転した状態を表す側面図である。
【図１１】図１０の状態、即ち１次解除状態の梯子ホルダの位置を表す側面図である。
【図１２】作動レバーを作動し、リンクホルダがオンロック状態に回転された２次解除状態を表す側面図である。
【図１３】本発明装置の遠隔制御部の作動状態を表す側面図である。
【図１４】本発明の折りたたみ梯子とフレームの連結構造を表す略図である。
【図１５】本発明の折りたたみ梯子とフレームの連結構造を表す略図である。
【符号の説明】
１…手摺り
３…手摺り開口部
５…フレーム
７…折りたたみ式梯子
９…ガイドリンク
１１…制御装置
１３…シャフト
１５…ツイストスプリング
１７…作動制御部
１９…リンクホルダ
２１…梯子ホルダ
２３…作動スイッチ
２５…作動レバー
２７…ケーブル
２９…遠隔制御部
３１…連結リンク
３３…フレーム
３５…ピボット点
３７…スプリング
３９…掛け突起
４１…作動リンク
４３…掛け突起
４５…作動カム
４７…回転軸
４９…支持カム
５１…リングホルダレバー
５３…スプリング
５５…ピボット点
５７…円形掛け突起
５９…凹溝
６１…円形掛け突起
６３…凹溝
６５…遠隔制御カム
６７…突起
６９…掛け突起
７１…ケーブルホール
１０１…転落防止輪
【図１】
2004324283.tif 000003
【図２】
2004324283.tif 000004
【図３】
2004324283.tif 000005
【図４】
2004324283.tif 000006
【図５】
2004324283.tif 000007
【図６】
2004324283.tif 000008
【図７】
2004324283.tif 000009
【図８】
2004324283.tif 000010
【図９】
2004324283.tif 000011
【図１０】
2004324283.tif 000012
【図１１】
2004324283.tif 000013
【図１２】
2004324283.tif 000014
【図１３】
2004324283.tif 000015
【図１４】
2004324283.tif 000016
【図１５】
2004324283.tif 000017